(57)【要約】【課題】アマルガムを含有する片口金型蛍光灯であっても、低温環境下で光束低下の発生を防止する。【解決手段】一の方向に伸びるとともに少なくとも一回屈曲して両端部がその一の方向の片側に来る発光管２０、この発光管２０の両端部側を保持するベース２２、および発光管２０内部のベース２２側に設けられるアマルガムにより構成される片口金型蛍光灯２と、これをベース２２が下になる状態で搭載する照明器具本体３とを備える照明器具に対し、低温環境下での対流によるベース２２の冷却を防止する防止手段として、ベース２２に被せて取り付けられるスポンジ状の断熱部材１０を設けた。【選択図】  図１
2004311258.tif 000002
【特許請求の範囲】
【請求項１】
一の方向に伸びるとともに少なくとも一回屈曲して両端部がその一の方向の片側に来る発光管、この発光管の両端部側を保持するベース、および前記発光管内部の前記ベース側に設けられるアマルガムにより構成される片口金型蛍光灯と、これを、前記ベースが下になる状態から水平になる状態のいずれかの状態で搭載する照明器具本体とを備える照明器具であって、低温環境下での対流による前記ベースの冷却を防止する防止手段を備えることを特徴とする照明器具。
【請求項２】
前記防止手段として、前記ベースに被せて取り付けられる断熱部材を備えることを特徴とする請求項１記載の照明器具。
【請求項３】
前記防止手段として、前記ベースを囲繞する筒状部材を備えることを特徴とする請求項１記載の照明器具。
【請求項４】
前記防止手段として、前記ベースの周囲に設けられ、前記片口金型蛍光灯の放射エネルギーを前記ベース側に集光する形状に形成された集光部材を備えることを特徴とする請求項１記載の照明器具。
【請求項５】
前記防止手段として、前記発光管を支持し前記ベースに接続されて、前記発光管から前記ベース側への熱伝達経路を形成する支持部材を備えることを特徴とする請求項１記載の照明器具。
【請求項６】
前記防止手段として、前記片口金型蛍光灯を点灯するための安定器を、前記片口金型蛍光灯外の前記ベースの下側に配置して備え、前記防止手段により前記安定器から前記ベース側への熱対流経路を形成したことを特徴とする請求項１記載の照明器具。
【請求項７】
前記片口金型蛍光灯と接続されるソケットと、このソケットが取り付けられるソケット台と、前記片口金型蛍光灯を点灯するためのものであって前記ソケットを介して前記片口金型蛍光灯と接続され前記ソケット台に配置される安定器とを、前記防止手段として備え、前記防止手段により前記安定器から前記ベース側への熱伝達経路を形成したことを特徴とする請求項１記載の照明器具。
【請求項８】
一の方向に伸びるとともに少なくとも一回屈曲して両端部がその一の方向の片側に来る発光管、この発光管の両端部側を保持するベース、および前記発光管内部の前記ベース側に設けられるアマルガムにより構成される片口金型蛍光灯と、これを、前記ベースが下になる状態から水平になる状態のいずれかの状態で搭載する照明器具本体とを備える照明器具であって、前記片口金型蛍光灯を支持する支持部材を、非熱伝達部を含んで備えることを特徴とする照明器具。
【請求項９】
一の方向に伸びるとともに少なくとも一回屈曲して両端部がその一の方向の片側に来る発光管、この発光管の両端部側を保持するベース、および前記発光管内部の前記ベース側に設けられるアマルガムにより構成される片口金型蛍光灯と、これを搭載する照明器具本体とを備える照明器具であって、前記片口金型蛍光灯を、前記ベースが上になる状態で前記照明器具本体に搭載したことを特徴とする照明器具。
【請求項１０】
前記片口金型蛍光灯を点灯するための安定器を、前記片口金型蛍光灯の下側に配置して備え、前記安定器から前記片口金型蛍光灯側への熱対流経路を形成したことを特徴とする請求項９記載の照明器具。
【請求項１１】
前記片口金型蛍光灯と接続されるソケットと、このソケットが取り付けられるソケット台と、前記片口金型蛍光灯を点灯するためのものであって前記ソケットを介して前記片口金型蛍光灯と接続され前記ソケット台に配置される安定器とを備え、前記安定器から前記ベース側への熱伝達経路を形成したことを特徴とする請求項９記載の照明器具。
【発明の詳細な説明】
【０００１】
【発明の属する技術分野】
本発明は、アマルガムを含有する片口金型蛍光灯搭載の照明器具に関するものである。
【０００２】
【従来の技術】
水銀蒸気圧の制御により光束を制御するノーマルな蛍光灯を搭載した照明器具では、常温に比べ、零度以下の低温環境下で光束が大きく低下することが知られている。
【０００３】
そのため、零度以下となる屋外や特殊環境などで使用される照明器具には、白熱灯が搭載されることもあるが、その白熱灯よりも省エネ効果が大きく、光束の温度特性が良好である水銀灯などの高輝度放電灯（ＨＩＤランプ）が搭載されることが多いのが現状である。
【０００４】
ところで、より一層の省エネやよりコンパクトで明るい光源として、いわゆる片口金型蛍光灯が各種市販されている。この種の片口金型蛍光灯は、一の方向に伸びるとともに少なくとも一回屈曲して両端部がその一の方向の片側に来る発光管と、この発光管の両端部内にそれぞれ設けられるフィラメントと、これらフィラメント側で発光管を保持するベースと、このベース（ピン端子の場合は発光管とは逆側）に設けられて発光管の両端部内のフィラメントとそれぞれ電気的に接続される２組（１組みにつき２つ）の端子と、発光管内部に設けられる水銀蒸気圧制御物質としてのアマルガムとを備え、照明器具に搭載されて使用される（例えば特許文献１，２等）。
【０００５】
特許文献１，２では、アマルガムは、フィラメントの近傍であってそのフィラメントよりもベースにより近くなるようにベース側に設けられている。また、特許文献２の片口金型蛍光灯にあっては、Ｅ２６型などのねじ込み型の口金がベースに取り付けられたまさに片口金蛍光灯になっており、そのベース内には、口金と上記各端子との間に介設される安定器が収納されている。
【０００６】
上記のように、管内の水銀蒸気圧をアマルガム（水銀吸着物質）で制御する照明器具では、図２１に示すように、片口金型蛍光灯が特に高温域で優れ幅広い温度範囲で最適となる特性を有していることにより、広い温度範囲で水銀蒸気圧の変化を少なくすることができるため、照明器具の設計における使用環境温度の自由度が増し、零度以下の低温環境から真夏の高温環境においても、光束の変化の少ない照明を期待することができる。
【０００７】
より詳細に説明すると、アマルガムは、点滅時の温度変化に伴って、「固相」〜「固相＋液相」〜「液相」へと状態が変化する。上記のような片口金型蛍光灯では、アマルガムの液相下の水銀濃度（完全液相下では組成比率）によって水銀蒸気圧が決定される。「固相＋液相」下では、それらの溶け合う比率の変化によって水銀蒸気圧の上昇が最適値付近で鈍化され、液相下での水銀蒸気圧上昇と連続させることで、より広い温度範囲で水銀蒸気圧（及び光束）のフラット化が達成される。
【０００８】
なお、アマルガムを使用する場合には、「固相」〜「固相＋液相」〜「液相」の状態変化において、図２２に示すように、ヒステリシス現象が起こることに注意する必要がある。特に、周囲温度の低下時に液相から固相に凝固する過程において、図２２の破線に示すように、変体が適切に行われず（液相状態の滞留）、水銀蒸気圧の異常低下が起き、大幅な光束低下（過冷却現象）が見られることがある。この光束低下を回避するためには、使用環境温度において、アマルガムをより液相に近い状態で使用する必要がある。
【０００９】
【特許文献１】
特開２００１−１２６５０３号公報
【特許文献２】
特公平０６−０７３２４２号公報
【００１０】
【発明が解決しようとする課題】
零度以下の低温環境対応用として主流の高輝度放電灯搭載の照明器具では、その設計において、表面温度・構造部材の許容温度を維持するために、光源の発熱を緩和するだけの器具容積を確保しなければならず、設計の自由度の点で難点がある。
【００１１】
一方、アマルガムを含有する片口金型蛍光灯搭載の照明器具では、零度以下の低温環境下で使用したとすれば、光束低下が起こる点で難点がある。
【００１２】
本発明は、上記事情に鑑みてなされたものであり、アマルガムを含有する片口金型蛍光灯であっても、低温環境下で光束低下の発生を防止しうる照明器具を提供することを目的とする。
【００１３】
【課題を解決するための手段】
上記課題を解決するための請求項１記載の発明は、一の方向に伸びるとともに少なくとも一回屈曲して両端部がその一の方向の片側に来る発光管、この発光管の両端部側を保持するベース、および前記発光管内部の前記ベース側に設けられるアマルガムにより構成される片口金型蛍光灯と、これを、前記ベースが下になる状態から水平になる状態のいずれかの状態で搭載する照明器具本体とを備える照明器具であって、低温環境下での対流による前記ベースの冷却を防止する防止手段を備えることを特徴とする照明器具。
【００１４】
請求項２記載の発明は、請求項１記載の照明器具において、前記防止手段として、前記ベースに被せて取り付けられる断熱部材を備えることを特徴とする。
【００１５】
請求項３記載の発明は、請求項１記載の照明器具において、前記防止手段として、前記ベースを囲繞する筒状部材を備えることを特徴とする。
【００１６】
請求項４記載の発明は、請求項１記載の照明器具において、前記防止手段として、前記ベースの周囲に設けられ、前記片口金型蛍光灯の放射エネルギーを前記ベース側に集光する形状に形成された集光部材を備えることを特徴とする。
【００１７】
請求項５記載の発明は、請求項１記載の照明器具において、前記防止手段として、前記発光管を支持し前記ベースに接続されて、前記発光管から前記ベース側への熱伝達経路を形成する支持部材を備えることを特徴とする。
【００１８】
請求項６記載の発明は、請求項１記載の照明器具において、前記防止手段として、前記片口金型蛍光灯を点灯するための安定器を、前記片口金型蛍光灯外の前記ベースの下側に配置して備え、前記防止手段により前記安定器から前記ベース側への熱対流経路を形成したことを特徴とする。
【００１９】
請求項７記載の発明は、請求項１記載の照明器具において、前記片口金型蛍光灯と接続されるソケットと、このソケットが取り付けられるソケット台と、前記片口金型蛍光灯を点灯するためのものであって前記ソケットを介して前記片口金型蛍光灯と接続され前記ソケット台に配置される安定器とを、前記防止手段として備え、前記防止手段により前記安定器から前記ベース側への熱伝達経路を形成したことを特徴とする。
【００２０】
請求項８記載の発明は、一の方向に伸びるとともに少なくとも一回屈曲して両端部がその一の方向の片側に来る発光管、この発光管の両端部側を保持するベース、および前記発光管内部の前記ベース側に設けられるアマルガムにより構成される片口金型蛍光灯と、これを、前記ベースが下になる状態から水平になる状態のいずれかの状態で搭載する照明器具本体とを備える照明器具であって、前記片口金型蛍光灯を支持する支持部材を、非熱伝達部を含んで備えることを特徴とする。
【００２１】
請求項９記載の発明は、一の方向に伸びるとともに少なくとも一回屈曲して両端部がその一の方向の片側に来る発光管、この発光管の両端部側を保持するベース、および前記発光管内部の前記ベース側に設けられるアマルガムにより構成される片口金型蛍光灯と、これを搭載する照明器具本体とを備える照明器具であって、前記片口金型蛍光灯を、前記ベースが上になる状態で前記照明器具本体に搭載したことを特徴とする。
【００２２】
請求項１０記載の発明は、請求項９記載の照明器具において、前記片口金型蛍光灯を点灯するための安定器を、前記片口金型蛍光灯の下側に配置して備え、前記安定器から前記片口金型蛍光灯側への熱対流経路を形成したことを特徴とする。
【００２３】
請求項１１記載の発明は、請求項９記載の照明器具において、前記片口金型蛍光灯と接続されるソケットと、このソケットが取り付けられるソケット台と、前記片口金型蛍光灯を点灯するためのものであって前記ソケットを介して前記片口金型蛍光灯と接続され前記ソケット台に配置される安定器とを備え、前記安定器から前記ベース側への熱伝達経路を形成したことを特徴とする。
【００２４】
【発明の実施の形態】
（第１実施形態）
図１は本発明による第１実施形態の照明器具の概略構成図、図２は同照明器具を備える外灯の側面図、図３は同外灯の斜視図である。
【００２５】
図１〜図３に示すように、第１実施形態の照明器具１は、従来と同様の片口金型蛍光灯２と、この片口金型蛍光灯２が搭載され外灯のポールＰの先端に設けられる照明器具本体３とにより構成されている。
【００２６】
片口金型蛍光灯２は、一の方向に伸びるとともに少なくとも一回（図では複数回）屈曲して両端部がその一の方向の片側（図では下側）に来る発光管２０と、この発光管２０の両端部内にそれぞれ設けられるフィラメント（図示せず）と、これらフィラメント側で発光管を保持するベース２２と、このベース２２に設けられて発光管２０の両端部内のフィラメントとそれぞれ電気的に接続される２組の端子（図示せず）と、発光管２０内部に設けられる水銀蒸気圧制御物質としてのアマルガム（図示せず）とにより構成される。
【００２７】
図では、片口金型蛍光灯２は、例えば口金がベース２２に取り付けられ、ベース２２の内部に安定器が収納される片口金蛍光灯になっている。なお、これに限らず、安定器を片口金型蛍光灯２外に設けるようにしてもよいことは言うまでもない。
【００２８】
照明器具本体３は、上方に開口を有する箱状のケース３０と、このケース３０の開口から上方に伸びる筒状で透光性のグローブ３１と、このグローブ３１の上方の開口を閉塞する傘３２と、片口金型蛍光灯２の口金と接続されるソケット３３と、このソケット３３が取り付けられるソケット台３４と、このソケット台３４をケース３０の底部から浮かせた状態で支持する基台３５と、ソケット台３４の上面に取り付けられソケット３３の開口側をグローブ３１側に露出させる孔３６０の穿設されたカバー３６とにより構成されている。
【００２９】
そして、第１実施形態の特徴として、ベース２２の近傍に略断熱層が形成される。すなわち、低温環境下での対流によるベース２２の冷却を防止する防止手段として、ベース２２に被せて取り付けられるスポンジ状の断熱部材１０が設けられる。この断熱部材１０は、ベース２２に予め取り付けられており、その状態で片口金型蛍光灯２がソケット３３に接続される。
【００３０】
ここで、片口金型蛍光灯２を、ベース２２が下になる状態で点灯させたとき、発光管２０の発熱による暖かい空気がグローブ３１の内壁を伝って循環する対流が生じる。このとき、低温環境下にある場合、循環流がグローブ３１の内壁で冷却されて、ベース２２側に対流することにより、そのベース２２側にあるアマルガムが過度に冷却されるところ、第１実施形態によれば、ベース２２側への冷却された循環流が断熱部材１０で阻止されるので、低温環境下での対流によるベース２２の冷却を防止することができる。
【００３１】
また、断熱部材１０をスポンジ状にすることにより、空孔部に存在する空気が断熱効果を発揮するので、アマルガムの温度低下をより効果的に防止することができる。
【００３２】
なお、断熱部材１０は、ベース２２に密着して取り付く形状であれば、外形は円状、角状などでもよいが、特に限定されるものではない。また、材質も必ずしもスポンジ状である必要はなく、断熱効果は低下するが、ソリッド系のＥＰＤゴムなど熱伝達率が小さい部材でも、効果が期待できる。
【００３３】
（第２実施形態）
図４は本発明による第２実施形態の照明器具の概略構成図である。
【００３４】
第２実施形態の照明器具１Ａは、第１実施形態の断熱部材１０に代えて、防止手段として、図４に示すように、有底筒状で底に発光管２０挿入用の孔１００Ａが穿設された形状に形成され、ベース２２に被せてこれを覆い隠すように取り付けられるパッキン１０Ａを備えることを特徴とする。パッキン１０Ａは、ベース２２に予め取り付けられており、その状態で片口金型蛍光灯２がソケット３３に接続される。
【００３５】
第２実施形態によれば、ベース２２側への冷却された循環流がパッキン１０Ａで阻止されるので、低温環境下での対流によるベース２２の冷却を防止することができる。
【００３６】
なお、パッキン１０Ａは、ベース２２を覆い隠す形状であれば、断面は円状、角状などでもよいが、特に限定されない。また、材質は、スポンジ状でもソリッド系の何れでも構わない。
【００３７】
（第３実施形態）
図５は本発明による第３実施形態の照明器具の概略構成図である。
【００３８】
第３実施形態の照明器具１Ｂは、第１実施形態の断熱部材１０に代えて、防止手段として、図５に示すように、ベース２２を囲繞する筒状部材１０Ｂを備えることを特徴とする。筒状部材１０Ｂは、カバー３６の上面に予め取り付けられており、片口金型蛍光灯２は、その筒状部材１０Ｂ内にベース２２側を挿入するようにしてソケット３３に接続される。
【００３９】
第３実施形態によれば、ベース２２側への冷却された循環流が筒状部材１０Ｂで阻止されるので、低温環境下での対流によるベース２２の冷却を防止することができる。
【００４０】
また、筒状部材１０Ｂと片口金型蛍光灯２との間の空気が断熱効果を発揮するので、アマルガムの温度低下をより効果的に防止することができる。
【００４１】
なお、筒状部材１０Ｂは、ベース２２を囲繞する筒状であれば、断面は円状、角状などでもよいが、特に限定されない。また、材質は、鋼鈑、アルミなど金属や、樹脂の何れでも構わない。また、パンチングメタル等の多孔部材を使用するようにすれば、犠牲になる光束を少しでも減少させることができる。
【００４２】
さらに、第３実施形態では、片口金型蛍光灯２のいわゆる点灯位置が、ベース２２を下向きとする垂直点灯になっているが、図６に示すように、片口金型蛍光灯２の軸が水平となる水平点灯の構成でも、筒状部材１０Ｂにより、低温環境下での対流によるベース２２の冷却を防止することができる。ただし、図６において、１０ＰＡは、基台３５に取り付けられる支柱１０１Ｄと、この支柱１０１Ｄの先端に取り付けられ発光管２０を支持する支持バネ１０２Ｄとを一体に有する形状に形成された支持部材である。また、３０Ａは、片口金型蛍光灯２を横向きに配置する場合のケース、３１Ａは透光性のグローブである。これにより、高輝度放電灯等の高発熱光源とアマルガム制御方式の片口金型蛍光灯を共通の照明器具本体（外郭部品）にて提供するに際し、有効となる。
【００４３】
（第４実施形態）
図７は本発明による第４実施形態の照明器具の概略構成図である。
【００４４】
第４実施形態の照明器具１Ｃは、第１実施形態の断熱部材１０に代えて、防止手段として、図７に示すように、ベース２２の周囲に設けられ、片口金型蛍光灯２の下部側の放射エネルギー（赤外線）をベース２２側に集光する形状に形成された集光部材１０Ｃを備えることを特徴とする。図７の例では、集光部材１０Ｃは、上側の開口が下側の開口よりも小さくなる筒状に形成され、内周面が凹面状になっている。集光部材１０Ｃは、カバー３６の上面に予め取り付けられており、片口金型蛍光灯２は、その集光部材１０Ｃ内にベース２２側を挿入するようにしてソケット３３に接続される。
【００４５】
第４実施形態によれば、ベース２２側への冷却された循環流が集光部材１０Ｃで阻止されるので、低温環境下での対流によるベース２２の冷却を防止することができる。
【００４６】
また、ベース２２や発光管２０からの輻射熱が集光部材１０Ｃによってベース２２側に集光されるので、アマルガムの温度低下をより効果的に防止することができる。
【００４７】
なお、集光部材１０Ｃは、ベース２２を覆い、輻射熱をベース２２側に集光する形状であれば、断面形状は特に限定されない。また、材質は、鋼鈑、アルミなど反射率の高い金属だけでなく、内面をアルミ蒸着等の反射率を高める仕上げであれば樹脂であっても構わない。さらに、パンチングメタル等の多孔部材を使用するようにすれば、犠牲になる光束を少しでも減少させることができる。
【００４８】
（第５実施形態）
図８は本発明による第５実施形態の照明器具の概略構成図である。
【００４９】
第５実施形態の照明器具１Ｄは、第４実施形態との相違点として、図８に示すように、集光部材１０Ｃの上側の開口と片口金型蛍光灯２の発光管２０との間に介設される支持パッキン１１をさらに備えることを特徴とする。
【００５０】
支持パッキン１１は、片口金型蛍光灯２の発光管２０または集光部材１０Ｃの上側の開口に予め取り付けておくようにしてもよく、あるいは片口金型蛍光灯２をソケット３３に接続した後で、支持パッキン１１を取り付けるようにしてもよい。
【００５１】
第５実施形態によれば、第４実施形態と同様の効果が得られるほか、支持パッキン１１により集光部材１０Ｃで覆われた空気を漏れないようにできるので、断熱効果をより一層高めることができる。また、片口金型蛍光灯２の支持強度を高めることができる。
【００５２】
なお、支持パッキン１１は、発光管２０を拘束できるのであれば、形状は特に限定されない。また、材質は、スポンジ状、ソリッド系の何れであっても構わない。
【００５３】
（第６実施形態）
図９は本発明による第６実施形態の照明器具の概略構成図である。
【００５４】
第６実施形態の照明器具１Ｅは、第１実施形態の断熱部材１０に代えて、防止手段として、図９に示すように、発光管２０を支持しベース２２に接続されて、発光管２０からベース２２側への熱伝達経路を形成する支持部材１０Ｅを備えることを特徴とする。
【００５５】
図では、カバー３６の上面に取り付けられる支柱１０１Ｄと、発泡ゴム、グラスウールなどの熱伝導率の低い材料の非熱伝達部１００Ｄと、これを介して支柱１０１Ｄの上端に取り付けられ発光管２０を支持する高熱伝導率の支持バネ１０１Ｅと、ベース２２を支持する高熱伝導率の支持バネ１０２Ｅと、これらの支持バネ１０１Ｅ，１０２Ｅが両端に取り付けられた高熱伝導率の伝熱板１００Ｅとを一体に有する形状に形成されている。
【００５６】
第６実施形態によれば、発光管２０の熱が、支持バネ１０１Ｅ、伝熱板１００Ｅおよび支持バネ１０２Ｅを伝ってベース２２に届くので、低温環境下での対流によるベース２２の冷却を防止することができる。また、片口金型蛍光灯２の支持強度を高めることができる。
【００５７】
なお、支持部材１０Ｅは、発光管２０を拘束できるのであれば、形状は特に限定されない。また、材質は、アルミなど熱伝導率の高い材質が望ましいが、器具内で接合する部分には熱伝導率の小さい方が効率良くベース２２へ熱伝導することができる。
【００５８】
（第７実施形態）
図１０は本発明による第７実施形態の照明器具の概略構成図である。
【００５９】
第７実施形態の照明器具１Ｆは、従来と同様の片口金型蛍光灯２Ａと、第１実施形態とほぼ同様の照明器具本体３と、片口金型蛍光灯２Ａを点灯するための安定器（インバータ）４とにより構成されている。
【００６０】
片口金型蛍光灯２Ａは、第１実施形態の片口金型蛍光灯２との相違点として、安定器を含まず、例えば、ベース２２における発光管２０とは逆側（下側）に突設されて発光管２０の両端部内のフィラメントとそれぞれ電気的に接続される２組（１組みにつき２つ）のピン状の端子を備えている。
【００６１】
照明器具本体３は、第１実施形態のソケット３３に代えて、上記２組の端子と安定器４とを電気的に接続するソケット３３Ａを備え、カバー３６の孔３６０Ａが第１実施形態のそれよりも大きく、垂直断面コ字状のソケット台３４の凹み部側周部に通気孔が形成されている以外は、第１実施形態と同様である。
【００６２】
そして、第７実施形態では、低温環境下での対流によるベース２２の冷却を防止する防止手段として、安定器４を、片口金型蛍光灯２Ａ外のベース２２の下側に配置して備え、その防止手段により安定器４からベース２２側への熱対流経路を形成したことを特徴とする。
【００６３】
第７実施形態によれば、安定器４の発熱で暖められた空気が安定器４の表面からベース２２側に向けて上昇するため、低温環境下での対流によるベース２２の冷却を防止することができる。
【００６４】
（第８実施形態）
図１１は本発明による第８実施形態の照明器具の概略構成図である。
【００６５】
第８実施形態の照明器具１Ｇは、第７実施形態との相違点として、片口金型蛍光灯２Ａと接続されるソケット３３Ａと、このソケット３３Ａが取り付けられるソケット台３４と、ソケット３３Ａを介して片口金型蛍光灯２Ａと接続されソケット台３４に配置される安定器４とを、防止手段として備え、その防止手段により安定器４からベース２２側への熱伝達経路を形成したことを特徴とする。
【００６６】
ただし、カバー３６の孔３６０は、第１実施形態と同様で、第７実施形態のそれよりも小さくなっている。また、ソケット３３Ａおよびソケット台３４は、高熱伝導性になっている。
【００６７】
第８実施形態によれば、安定器４の熱がソケット台３４およびソケット３３Ａを伝わってベース２２側に届くので、低温環境下での対流によるベース２２の冷却を防止することができ、アマルガムの温度抵下を防止することができる。
【００６８】
なお、ソケット台３４の凹み部側周部に通気孔を形成すれば、カバー３６の孔３６０が第１実施形態と同様であっても、安定器４の発熱で暖められた空気がその孔３６０からベース２２側に向けて上昇するため、第７実施形態とほぼ同様の効果が得られる。
【００６９】
（第９実施形態）
図１２は本発明による第９実施形態の照明器具の概略構成図である。
【００７０】
第９実施形態の照明器具１Ｈは、第１実施形態の断熱部材１０に代えて、図１２に示すように、片口金型蛍光灯２を支持する支持部材１０Ｄを、発泡ゴム、グラスウールなどの熱伝導率の低い材料の非熱伝達部１００Ｄを含んで備えることを特徴とする。
【００７１】
図では、支持部材１０Ｄは、カバー３６の上面に取り付けられる支柱１０１Ｄと、上記非熱伝達部１００Ｄと、これを介して支柱１０１Ｄの上端に取り付けられ発光管２０を支持する支持バネ１０２Ｄとを一体に有する形状に形成されている。
【００７２】
ここで、振動対策などのために片口金型蛍光灯２を支持すると、発光管２０を支持する部材に熱が伝わってそこで放熱現象が起こり、その部材（特に支柱１０１Ｄのような部材）が放熱板の役目を果たす結果、片口金型蛍光灯２の温度が下がり光束が低下することがある。
【００７３】
第９実施形態によれば、支持部材１０Ｄを、非熱伝達部１００Ｄを含んで備えるので、放熱板の役目を果たす部材への熱の伝導を非熱伝達部１００Ｄで遮断することができるので、支持部材１０Ｄが放熱板の役目を果たすのを防止することができ、発光管２０の温度を下げないようにしてアマルガムの温度低下を防止することができる。
【００７４】
（第１０実施形態）
図１３は本発明による第１０実施形態の照明器具の概略構成図である。
【００７５】
第１０実施形態の照明器具１Ｊは、図１３に示すように、第８実施形態の構成（図１１参照）に加えて、第３実施形態と同様の筒状部材１０Ｂ（図５参照）を備えるとともに、ソケット台３４の凹み部側周部に通気孔を有し、第３，第７，第８の各実施形態と同様の効果を奏することを特徴とする。
【００７６】
図１４に上記照明器具１Ｊの具体構成例を示し、図１５に同照明器具１Ｊとの比較のために作成した照明器具の構成例を示す。ただし、図１４，図１５の両照明器具には、片口金型蛍光灯２Ａを支持するべく、カバー３６の上面に取り付けられる支柱１０１Ｄと、この支柱１０１Ｄの上端に取り付けられ発光管２０を支持する支持バネ１０２Ｄ（ＳＵＳ３０４）とを一体に有する形状に形成され、第９実施形態の非熱伝達部１００Ｄを含まない支持部材１０ＰＡが具備されている。
【００７７】
図１４において、筒状部材１０Ｂは、板厚１．６ｍｍの亜鉛鋼鈑により水平断面形状が八角形に作成されている。ソケット台３４は、板厚１．５ｍｍのアルミにより垂直断面形状が下に凸のコ字状に形成されている。その他の各寸法は図に示すとおりである。
【００７８】
図１５において、筒状部材１０Ｂは設けられておらず、安定器４は、ソケット台３４から離隔してケース３０の底側に設けられている。
【００７９】
上記構成の各照明器具を−５℃の低温環境下で動作させ、アマルガムの部分に予め熱電対を配置した温度計測用の片口金型蛍光灯を用いて、アマルガムの部分の温度を測定したところ、図１５の照明器具にあっては７２．２℃であったのに対し、図１４の照明器具１Ｊにあっては、図１５の照明器具の場合よりも１２．８℃も高い８５．０℃であった。このようにアマルガムの温度を上昇されることができることにより、低温環境下での光束の低下を低減することができる。
【００８０】
（第１１実施形態）
図１６は本発明による第１１実施形態の照明器具の概略構成図である。
【００８１】
第１１実施形態の照明器具１Ｋは、図１６に示すように、第７実施形態の構成（図１０参照）に加えて、第３実施形態と同様の筒状部材１０Ｂ（図５参照）と、第９実施形態と同様の支持部材１０Ｅ（図９参照）とを備え、ソケット３３Ａおよびソケット台３４を高熱伝導性とし、第３，第７〜第９の各実施形態と同様の効果を奏することを特徴とする。
【００８２】
（第１２実施形態）
図１７は本発明による第１２実施形態の照明器具の概略構成図である。
【００８３】
第１２実施形態の照明器具１Ｌは、例えば第８実施形態との相違点として、基台３５に代えて、ケース３０の底面からの離隔距離が基台３５よりも短く、カバー３６が上部に直接取り付けられて、そのカバー３６とともに安定器４を収納する基台３５Ａを備えているほか、ソケット台３４に代えて、片口金型蛍光灯２Ａを、ベース２２が上になる状態で照明器具本体３内に搭載するためのソケット台３４Ａを備えていることを特徴とする。
【００８４】
ソケット台３４Ａは、カバー３６に取り付けられる支柱３４１と、この支柱３４１の上端に屈曲して設けられソケット３３Ａが取り付けられる台座３４２と、支柱３４１におけるカバー３６側に取り付けられ片口金型蛍光灯２Ａの発光管２０を支持する支持バネ３４３とを一体に有する形状に形成されている。
【００８５】
このように、片口金型蛍光灯２Ａを、ベース２２が上になる状態で照明器具本体３内に搭載することにより、片口金型蛍光灯２Ａの点灯時に発光管２０の熱が上向きに対流し、また暖かい空気が照明器具本体３内の上方に留まることになるため、ベース２２の温度が最も高くなり、アマルガムの温度低下を防止することができる。
【００８６】
（第１３実施形態）
図１８は本発明による第１３実施形態の照明器具の概略構成図である。
【００８７】
第１３実施形態の照明器具１Ｍは、第１２実施形態との相違点として、図１８に示すように、カバー３６の中央部に片口金型蛍光灯２Ａの発光管２０に相当する孔３６０Ｂを有し、安定器４から片口金型蛍光灯２Ａ側への熱対流経路を形成したことを特徴とする。
【００８８】
この構成によれば、安定器４の発熱により暖められた空気が安定器４の表面から上昇するので、ベース２２近傍のアマルガムの温度低下をより一層防止することができる。
【００８９】
なお、第１３実施形態では、片口金型蛍光灯２Ａの点灯位置が、ベース２２を上向きとする垂直点灯になっているが、図１９に示すように、垂直方向でなくてもベース２２を上向きとする構成であれば、第１３実施形態と同様の効果が得られる。ただし、図１９において、ソケット台３４Ａおよび安定器４は、ベース２２を上向きとし、片口金型蛍光灯２Ａを横向きに配置する場合のケース３０Ａの内壁に直接取り付けられている。また、３１Ａは透光性のグローブである。
【００９０】
（第１４実施形態）
図２０は本発明による第１４実施形態の照明器具の概略構成図である。
【００９１】
第１４実施形態の照明器具１Ｎは、図１９に示した点灯位置の照明器具との相違点として、安定器４がソケット台３４Ａの支柱３４１における台座３４２側に取り付けられ、安定器４から片口金型蛍光灯２Ａのベース２２側への熱伝達経路を形成したことを特徴とする。ただし、ソケット３３Ａおよびソケット台３４Ａは高熱伝導性であるとする。
【００９２】
これにより、安定器４の発熱による熱エネルギーがソケット台３４Ａおよびソケット３３Ａを通って片口金型蛍光灯２Ａのベース２２に伝達されるため、ベース２２のアマルガムの温度低下をより一層防止することができる。
【００９３】
【発明の効果】
以上のことから明らかなように、請求項１記載の発明は、一の方向に伸びるとともに少なくとも一回屈曲して両端部がその一の方向の片側に来る発光管、この発光管の両端部側を保持するベース、および前記発光管内部の前記ベース側に設けられるアマルガムにより構成される片口金型蛍光灯と、これを、前記ベースが下になる状態から水平になる状態のいずれかの状態で搭載する照明器具本体とを備える照明器具であって、低温環境下での対流による前記ベースの冷却を防止する防止手段を備えるので、低温環境下でもベース側に設けられるアマルガムをより液相に近い状態に保つことが可能となり、特別な熱源を必要とすることなく、著しい光東の低下を防止することが可能となる。
【００９４】
請求項２記載の発明は、請求項１記載の照明器具において、前記防止手段として、前記ベースに被せて取り付けられる断熱部材を備えるので、低温環境下において、ベース側への冷却された循環流が断熱部材で阻止されるため、低温環境下での対流によるベースの冷却を防止することができる。
【００９５】
請求項３記載の発明は、請求項１記載の照明器具において、前記防止手段として、前記ベースを囲繞する筒状部材を備えるので、低温環境下において、ベース側への冷却された循環流が筒状部材で阻止されるため、低温環境下での対流によるベースの冷却を防止することができる。
【００９６】
請求項４記載の発明は、請求項１記載の照明器具において、前記防止手段として、前記ベースの周囲に設けられ、前記片口金型蛍光灯の放射エネルギーを前記ベース側に集光する形状に形成された集光部材を備えるので、低温環境下において、ベース側への冷却された循環流が集光部材で阻止されるため、低温環境下での対流によるベースの冷却を防止することができ、また、ベースや発光管からの輻射熱が集光部材によってベース側に集光されるため、アマルガムの温度低下をより効果的に防止することができる。
【００９７】
請求項５記載の発明は、請求項１記載の照明器具において、前記防止手段として、前記発光管を支持し前記ベースに接続されて、前記発光管から前記ベース側への熱伝達経路を形成する支持部材を備えるので、発光管の熱が支持部材を伝ってベースに届くため、低温環境下での対流によるベースの冷却を防止することができる。
【００９８】
請求項６記載の発明は、請求項１記載の照明器具において、前記防止手段として、前記片口金型蛍光灯を点灯するための安定器を、前記片口金型蛍光灯外の前記ベースの下側に配置して備え、前記防止手段により前記安定器から前記ベース側への熱対流経路を形成したので、安定器の発熱で暖められた空気が安定器の表面からベース側に向けて上昇するため、低温環境下での対流によるベースの冷却を防止することができる。
【００９９】
請求項７記載の発明は、請求項１記載の照明器具において、前記片口金型蛍光灯と接続されるソケットと、このソケットが取り付けられるソケット台と、前記片口金型蛍光灯を点灯するためのものであって前記ソケットを介して前記片口金型蛍光灯と接続され前記ソケット台に配置される安定器とを、前記防止手段として備え、前記防止手段により前記安定器から前記ベース側への熱伝達経路を形成したので、安定器の熱がソケット台およびソケットを伝わってベース側に届くため、低温環境下での対流によるベースの冷却を防止することができ、アマルガムの温度抵下を防止することができる。
【０１００】
請求項８記載の発明は、一の方向に伸びるとともに少なくとも一回屈曲して両端部がその一の方向の片側に来る発光管、この発光管の両端部側を保持するベース、および前記発光管内部の前記ベース側に設けられるアマルガムにより構成される片口金型蛍光灯と、これを、前記ベースが下になる状態から水平になる状態のいずれかの状態で搭載する照明器具本体とを備える照明器具であって、前記片口金型蛍光灯を支持する支持部材を、非熱伝達部を含んで備えるので、放熱板の役目を果たす部材への熱の伝導を非熱伝達部で遮断することができるから、支持部材が放熱板の役目を果たすのを防止することができ、発光管の温度を下げないようにしてアマルガムの温度低下を防止することができる。これにより、アマルガムを含有する片口金型蛍光灯であっても、低温環境下で光束低下の発生を防止することができる。
【０１０１】
請求項９記載の発明は、一の方向に伸びるとともに少なくとも一回屈曲して両端部がその一の方向の片側に来る発光管、この発光管の両端部側を保持するベース、および前記発光管内部の前記ベース側に設けられるアマルガムにより構成される片口金型蛍光灯と、これを搭載する照明器具本体とを備える照明器具であって、前記片口金型蛍光灯を、前記ベースが上になる状態で前記照明器具本体に搭載したので、片口金型蛍光灯の点灯時に発光管の熱が上向きに対流し、また暖かい空気が照明器具本体内の上方に留まることになるため、ベースの温度が最も高くなり、アマルガムの温度低下を防止することができる。これにより、アマルガムを含有する片口金型蛍光灯であっても、低温環境下で光束低下の発生を防止することができる。
【０１０２】
請求項１０記載の発明は、請求項９記載の照明器具において、前記片口金型蛍光灯を点灯するための安定器を、前記片口金型蛍光灯の下側に配置して備え、前記安定器から前記片口金型蛍光灯側への熱対流経路を形成したので、安定器の発熱により暖められた空気が安定器の表面から上昇するため、ベース近傍のアマルガムの温度低下をより一層防止することができる。
【０１０３】
請求項１１記載の発明は、請求項９記載の照明器具において、前記片口金型蛍光灯と接続されるソケットと、このソケットが取り付けられるソケット台と、前記片口金型蛍光灯を点灯するためのものであって前記ソケットを介して前記片口金型蛍光灯と接続され前記ソケット台に配置される安定器とを備え、前記安定器から前記ベース側への熱伝達経路を形成したので、安定器の発熱による熱エネルギーがソケット台およびソケットを通って片口金型蛍光灯のベースに伝達されるため、ベースのアマルガムの温度低下をより一層防止することができる。
【図面の簡単な説明】
【図１】本発明による第１実施形態の照明器具の概略構成図である。
【図２】同照明器具を備える外灯の側面図である。
【図３】同外灯の斜視図である。
【図４】本発明による第２実施形態の照明器具の概略構成図である。
【図５】本発明による第３実施形態の照明器具の概略構成図である。
【図６】図５中の筒状部材を水平点灯の照明器具に使用した例を示す図である。
【図７】本発明による第４実施形態の照明器具の概略構成図である。
【図８】本発明による第５実施形態の照明器具の概略構成図である。
【図９】本発明による第６実施形態の照明器具の概略構成図である。
【図１０】本発明による第７実施形態の照明器具の概略構成図である。
【図１１】本発明による第８実施形態の照明器具の概略構成図である。
【図１２】本発明による第９実施形態の照明器具の概略構成図である。
【図１３】本発明による第１０実施形態の照明器具の概略構成図である。
【図１４】同照明器具の具体構成例を示す図である。
【図１５】同照明器具との比較のために作成した照明器具の構成例を示す図である。
【図１６】本発明による第１１実施形態の照明器具の概略構成図である。
【図１７】本発明による第１２実施形態の照明器具の概略構成図である。
【図１８】本発明による第１３実施形態の照明器具の概略構成図である。
【図１９】ベースを上向きにした構成例を示す図である。
【図２０】本発明による第１４実施形態の照明器具の概略構成図である。
【図２１】アマルガムを含有する片口金型蛍光灯の特性図である。
【図２２】同特性について注意すべき現象の説明図である。
【符号の説明】
１，１Ａ，１Ｂ，１Ｃ，１Ｄ，１Ｅ，１Ｆ，１Ｇ，１Ｈ，１Ｊ，１Ｋ，１Ｌ，１Ｍ，１Ｎ  照明器具
２，２Ａ  片口金型蛍光灯
２０  発光管
２２  ベース
３，３Ａ  照明器具本体
３０，３０Ａ  ケース
３１，３１Ａ  グローブ
３２  傘
３３，３３Ａ  ソケット
３４，３４Ａ  ソケット台
３５，３５Ａ  基台
３６  カバー
４  安定器
１０  断熱部材
１０Ａ  パッキン
１０Ｂ  筒状部材
１０Ｃ  集光部材
１０Ｄ  支持部材
１１  パッキン
【図１】
2004311258.tif 000003
【図２】
2004311258.tif 000004
【図３】
2004311258.tif 000005
【図４】
2004311258.tif 000006
【図５】
2004311258.tif 000007
【図６】
2004311258.tif 000008
【図７】
2004311258.tif 000009
【図８】
2004311258.tif 000010
【図９】
2004311258.tif 000011
【図１０】
2004311258.tif 000012
【図１１】
2004311258.tif 000013
【図１２】
2004311258.tif 000014
【図１３】
2004311258.tif 000015
【図１４】
2004311258.tif 000016
【図１５】
2004311258.tif 000017
【図１６】
2004311258.tif 000018
【図１７】
2004311258.tif 000019
【図１８】
2004311258.tif 000020
【図１９】
2004311258.tif 000021
【図２０】
2004311258.tif 000022
【図２１】
2004311258.tif 000023
【図２２】
2004311258.tif 000024